(57)【要約】【課題】携帯情報処理装置の携行性機能を損なわずに、机上使用時にも表示部を傾斜させて使用でき、緊急用として市販乾電池の使用あるいは２次電池の充電ができるようにし、利便性を向上させる。【解決手段】携帯情報処理装置１の表示パネル３を開閉可能に覆う蓋１３を充電台２に配置する。携行時はこの蓋で表示パネルを覆い、使用時はこの蓋を開き携帯情報処理装置の傾斜スタンドとして使用する。この蓋は回動自在にヒンジ連結した複数の板状体である。使用時はこの板状体を携行時状態から１８０度以上の回動をさせて一部板状体を屈曲保持、あるいは、この板状体を三角形状に屈曲保持することで表示パネルの傾斜配置ができる。また、この板状体をコの字状に保持させることで、電池ケースも兼用する。【選択図】　　　図１
2004054686.tif 000002
【特許請求の範囲】
【請求項１】
情報処理状態を表示する表示部、情報処理操作を行う操作部、電力源としての二次電池、及び、外部からの電力供給の受給手段を有する携帯情報処理装置本体と、
前記表示部を覆う開閉可能な蓋体、外部からの電力供給を受ける接続端子、充電回路、前記携帯情報処理装置本体を着脱自在に収納可能な最低限の大きさに形成された収納部を有する充電台とにより構成され、
携行時、前記蓋体により前記表示部を覆う状態で、前記携帯情報処理装置本体が前記充電台に収納されていることを特徴とする携帯情報処理装置。
【請求項２】
情報処理状態を表示する表示部、情報処理操作を行う操作部、電力源としての二次電池、及び、外部からの電力供給の受給手段を有する携帯情報処理装置本体と、
前記携帯情報処理装置本体を収納する凹部、前記凹部の少なくとも一部を覆う開閉可能な蓋体、前記受給手段に接続され、外部からの電力供給を受ける接続端子を有する充電台とにより構成され、
携行時、前記蓋体により前記表示部を覆う状態で、前記携帯情報処理装置本体が前記凹部に収納されていることを特徴とする携帯情報処理装置。
【請求項３】
情報処理状態を表示する表示部、情報処理操作を行う操作部を有する携帯情報処理装置本体と、電力供給の受給手段とする接続端子、充電回路、前記表示部を開閉可能に覆う部材を有する充電台とにより構成され、
前記充電台に前記携帯情報処理装置本体を収納可能とし、
前記部材を複数の連結する部材の１つとし、前記連結する部材を互いに回動自在とする第１の連結部を有し、前記連結する部材のうちの１つの部材を、前記充電台に回動自在に連結する第２の連結部を有し、
前記表示部を覆う前記部材を前記表示部から離脱させたときの前記表示部のなす平面を第１の平面とし、前記部材で前記表示部を覆う状態で、前記携帯情報処理装置本体を前記充電台に収納し、前記充電台を机上等に置いたときに、前記表示部のなす平面を第２の平面とするとき、
前記第１の連結部及び前記第２の連結部のうちいずれか一方または両方の前記連結部を回動保持させることにより、前記第１の平面と前記第２の平面とを非平行にすることを特徴とする携帯情報処理装置。
【請求項４】
前記第２の平面を基準平面とするとき、前記第１の平面の基準平面に対する傾斜角を０°〜９０°の間で任意の角度に設定保持可能であることを特徴とする請求項３記載の携帯情報処理装置。
【請求項５】
前記充電台は、前記携帯情報処理装置本体を収納可能な凹部収納部を形成する壁部を有し、前記第１の連結部を案内する溝部と、前記部材の通過可能な切り欠き部とを前記壁部に設け、
前記第１の連結部の一部を前記溝部に、前記部材を前記切り欠き部に配置し、前記部材に前記携帯情報処理装置本体を搭載することを特徴とする請求項３記載の携帯情報処理装置。
【請求項６】
前記部材を板状体により形成したことを特徴とする請求項３、４または５記載の携帯情報処理装置。
【請求項７】
前記表示部を開閉可能に覆う部材は、透明板で形成されたことを特徴とする請求項３、４または５記載の携帯情報処理装置。
【請求項８】
前記表示部を開閉可能に覆う部材は、枠体で構成され、表示部に対応する部分が窓状に開けられて構成されたことを特徴とする請求項３、４または５記載の携帯情報処理装置。
【請求項９】
前述窓状に開けられた部分に透明なフレキシブルな膜が設けられたことを特徴とする請求項８記載の携帯情報処理装置。
【請求項１０】
前記板状体の少なくとも一部に滑り止め部材が固着されたことを特徴とする請求項６記載の携帯情報処理装置。
【請求項１１】
情報処理状態を表示する表示部、及び、情報処理操作を行う操作部を有す携帯情報処理装置本体を着脱自在に収納する凹部収納部と、外部電源からの電力の供給を行う接続端子と、充電回路と、前記凹部収納部を形成する箱状体の外側に設けられる複数の部材とを有し、
前記部材で前記凹部収納部の少なくとも一部を開閉可能とし、複数の前記部材を互いに回動自在に連結する第１の連結部を有し、複数の前記部材のうちの１つの前記部材を前記箱状体の外側に回動自在に連結する第２の連結部を有し、
前記表示部を覆う前記部材を前記表示部から離脱させたときの前記表示部のなす平面を第１の平面とし、前記部材で前記表示部を覆う状態で、前記携帯情報処理装置本体を前記凹部収納部に収納して机上等に置いたときに、前記表示部のなす平面を第２の平面とするとき、
前記第１の連結部及び前記第２の連結部のうちいずれか一方または両方の前記連結部を回動保持させることにより、前記第１の平面と前記第２の平面とを非平行にすることを特徴とする携帯情報処理装置の充電台。
【請求項１２】
前記第２の平面を基準平面とするとき、前記第１の平面の基準平面に対する傾斜角を０°〜９０°の間で任意の角度に設定保持可能であることを特徴とする請求項１１記載の携帯情報処理装置の充電台。
【請求項１３】
前記携帯情報処理装置本体を収納可能な凹部収納部を形成する壁部を有し、前記第１の連結部を案内する溝部と、前記部材の通過可能な切り欠き部とを前記壁部に設け、
前記第１の連結部の一部を前記溝部に、前記部材を前記切り欠き部に配置し、前記部材に前記携帯情報処理装置本体を搭載することを特徴とする請求項１１記載の携帯情報処理装置の充電台。
【請求項１４】
前記部材を板状体により形成したことを特徴とする請求項１１、１２または１３記載の携帯情報処理装置の充電台。
【請求項１５】
前記表示部を開閉可能に覆う部材は、透明板で形成されたことを特徴とする請求項１１、１２または１３記載の携帯情報処理装置の充電台。
【請求項１６】
前記表示部を開閉可能に覆う部材は、枠体で構成され、表示部に対応する部分が窓状に開けられて構成されたことを特徴とする請求項１１、１２または１３記載の携帯情報処理装置の充電台。
【請求項１７】
前述窓状に開けられた部分に透明なフレキシブルな膜が設けられたことを特徴とする請求項１６記載の携帯情報処理装置の充電台。
【請求項１８】
前記板状体の少なくとも一部に滑り止め部材が固着されたことを特徴とする請求項１４記載の携帯情報処理装置の充電台。
【請求項１９】
情報処理状態を表示する表示部、及び、情報処理操作を行う操作部を有す携帯情報処理装置本体を着脱自在に収納する凹部収納部と、外部電源からの電力の供給を行う接続端子と、充電回路と、前記凹部収納部を形成する箱状体の外側に設けられる複数の部材とを有し、
複数の前記部材を互いに回動自在に連結する連結部を有し、前記携帯情報処理装置本体を前記凹部収納部に直立させると共に、前記連結部を屈曲させて、前記部材を電池ケースとすることを特徴とする携帯情報処理装置の充電台。
【請求項２０】
情報処理状態を表示する表示部、及び、情報処理操作を行う操作部を有す携帯情報処理装置本体を着脱自在に収納する凹部収納部と、外部電源からの電力の供給を行う接続端子と、乾電池とを有し、
前記接続端子と、前記乾電池を電気的に導通する導電路を配し、前記導電路から、前記携帯情報処理装置本体の電源供給部に電気的接続を行うことを特徴とする携帯情報処理装置の充電台。
【請求項２１】
情報処理状態を表示する表示部、情報処理操作を行う操作部、電力源としての二次電池、及び、外部電源の受給手段としての電源接続端子を有する携帯情報処理装置本体を収納し、前記表示部を覆う開閉可能な蓋体を有し、前記電源接続端子に接続可能な接続端子と、ＡＣアダプターの電力供給端子に接続可能な接続端子とを一体にして有する充電台を用い、前記ＡＣアダプターからの電力供給を前記接続端子を介して前記携帯情報処理装置本体に行い、前記二次電池の充電を行うことを特徴とする携帯情報処理装置の充電方法。
【請求項２２】
前記蓋体を前記表示部から離脱させ、前記蓋体により前記表示部を傾斜保持した状態で前記ＡＣアダプターからの電力供給を前記携帯情報処理装置本体に行うことを特徴とする請求項２１記載の携帯情報処理装置の充電方法。
【請求項２３】
情報処理状態を表示する表示部、情報処理操作を行う操作部、電力源としての二次電池、及び、外部電源の受給手段としての電源接続端子を有する携帯情報処理装置本体を収納し、前記表示部を覆う開閉可能な蓋体を有し、前記電源接続端子に接続可能な接続端子及び外部電源から電力供給するＡＣアダプターの電力供給端子と接続可能な接続端子を有する充電台を用い、前記ＡＣアダプターの前記電力供給端子を、前記電源接続端子に直接接続し、前記携帯情報処理装置本体に前記ＡＣアダプターから電力を供給し、前記二次電池の充電を行うことを特徴とする携帯情報処理装置の充電方法。
【請求項２４】
前記蓋体を前記表示部から離脱させ、前記蓋体により前記表示部を傾斜保持した状態で前記ＡＣアダプターからの電力供給を前記携帯情報処理装置本体に行うことを特徴とする請求項２３記載の携帯情報処理装置の充電方法。
【請求項２５】
携帯情報処理装置本体に外部電源から電力供給をするＡＣアダプターが、外部電源接続部と、携帯情報処理装置本体に接続する接続端子部と、前記外部電源接続部と前記接続端子部とを結線する電源コード部とからなり、前記電源コード部が、前記情報処理装置本体の一部を収納する凹部収納部を形成する充電台の壁部に設けられた案内用溝部を通過させられた状態で、前記ＡＣアダプターからの電力供給を前記携帯情報処理装置本体に行うことを特徴とする請求項２４記載の携帯情報処理装置の充電方法。
【請求項２６】
情報処理状態を表示する表示部、及び、情報処理操作を行う操作部を有す携帯情報処理装置本体を着脱自在に収納する凹部収納部と、外部電源からの電力供給に供する接続端子と、充電回路と、前記凹部収納部を形成する箱状体の外側に設けられる複数の部材と、複数の前記部材を互いに回動自在に連結する連結部を有した充電台を用い、前記携帯情報処理装置本体を前記凹部収納部に直立させ、前記連結部を屈曲させて、前記部材を電池ケースとし、前記電池ケースに２次電池を装着し、前記接続端子からの電力供給により前記２次電池の充電を行うこと特徴とする充電方法。
【発明の詳細な説明】
【０００１】
【発明の属する技術分野】
本発明は、携帯情報処理装置、その充電台及び充電方法に係り、特に、携帯情報端末、例えば、ＰＤＡ（パーソナル　デジタル　アシスタント）等のように手のひらに載る小型軽量で携帯性の高い携帯情報処理装置、その充電台及び充電方法に関する。
【０００２】
【従来の技術】
従来、ＰＤＡと呼ばれる携帯情報処理装置の充電台は、携帯情報処理装置本体への電源供給と、この本体内の２次電池の充電とのために、外部ＡＣ電源から電源供給を受けるＡＣアダプターとの電気的接続部を持ち、また、携帯情報処理装置を充電台に置くだけで安定して充電ができるように、その本体に比べ比較的大きな形状で作られている。そして、この充電台は、持ち運びに邪魔になるので、通常オフィスや自宅に据え置きして使用される。
【０００３】
そこで、通常、ユーザは、外出時、前述の携帯情報処理装置本体とＡＣアダプターのみを携行する。しかし、携帯情報処理装置の表示部は傷がつき易く、衝撃により破損し易いため、ユーぞは、別に収納ケースを用意して、携帯情報処理装置をそのケースに入れ持ち運んでいるのが一般的である。このような目的の収納ケースに関する従来技術として、例えば、特開平１０−２４３８１２号公報等に記載された技術が知られている。
【０００４】
また、携帯情報処理装置は、その携行性の追求から手のひらに収まるサイズに作られてういるため、手に持った状態では使い易い反面、それを机上で使用する場合に、水平に置くことしかできず、真上から覗き込むような使い方になり、使い勝手の悪いものとなっている。
【０００５】
この使い勝手を改善する手法に関する従来技術として、例えば、特開平７−９３０５１号公報に記載された技術が知られている。この従来技術は、携帯情報処理装置の使用時に机上でも表示部を傾斜させて使用することができるようにしたもので、携帯情報処理装置の携行性と使用時の利便性とを改善している。しかし、この従来技術は、携帯情報処理装置の表示部を傾斜位置で固定するための専用部材を必要とし、その傾斜用専用部材をケース蓋部に内蔵するようにしているので、ケースに厚みが必要になる。
【０００６】
また、携帯情報処理装置に関する他の従来技術として、例えば、特開平６−３５５６５号公報に記載された技術が知られている。この従来技術は、表示部と操作部と蓋とを順次折り重ね可能とした構造を持つブック型のものである。しかし、手のひらサイズを追求するＰＤＡのような小型軽量の携帯情報処理装置に対しては、傾斜機能をもたせつつ、この従来技術の場合より携行性の改善がより大きく望まれている。
【０００７】
ところで、携帯情報処理装置の高機能化に伴って、屋外での使用が長時間化している。そのため、充電台の携行性も望まれる。例えば、ＡＣアダプターを備えた携帯情報処理装置の架台の携行性を改善した従来技術として、例えば、特開平１０−２７５０２６号公報に記載された技術が知られている。この従来技術は、携帯情報処理装置の本体とは独立に架台の携行性を改善したものである。しかし、ＰＤＡのような携行を目的とする携帯情報処理装置は、本体と充電台とを一体に携行できるようにすることが望ましい。
【０００８】
さらに、携帯情報処理装置の携行時の長時間使用がＡＣアダプターが使用できないような場所で行われた場合、電池切れを起こすこともある。このため、緊急時に入手し易い乾電池を使用できる携帯情報処理装置が求められている。緊急時に市販乾電池を使用することを可能にした従来技術として、例えば、特開２０００−１３４８３号公報が知られているが、この従来技術は、市販乾電池を使用するめの専用ケースを携行しなければならないものである。
【０００９】
【発明が解決しようとする課題】
前述したように、携帯情報処理装置に関して種々の従来技術が知られているが、これらの従来技術は、携行時は専用の収納ケースを用意しなければならない、使い勝手の向上のためにケースに厚みが必要になる、本体と充電台とを一体に携行することが困難である、市販乾電池を使用するめの専用ケースを携行しなければならない等という問題点を有している。
【００１０】
本発明の目的は、前記従来技術の問題点を解決し、携帯情報処理装置の携行性機能を損なわずに、机上使用時にも表示部を傾斜させて使用でき、緊急用として市販乾電池の使用あるいは２次電池の充電ができるようにすることができる携帯情報処理装置、その充電台及び充電方法を提供することにある。
【００１１】
【課題を解決するための手段】
本発明によれば前記目的は、情報処理状態を表示する表示部、情報処理操作を行う操作部、電力源としての二次電池、及び、外部からの電力供給の受給手段を有する携帯情報処理装置本体と、前記表示部を覆う開閉可能な蓋体、外部からの電力供給を受ける接続端子、充電回路、前記携帯情報処理装置本体を着脱自在に収納可能な最低限の大きさに形成された収納部を有する充電台とにより構成され、携行時、前記蓋体により前記表示部を覆う状態で、前記携帯情報処理装置本体が前記充電台に収納されていることにより達成される。
【００１２】
また、前記目的は、前記充電台を、前記携帯情報処理装置本体を収納する凹部、前記凹部の少なくとも一部を覆う開閉可能な蓋体、前記受給手段に接続され、外部からの電力供給を受ける接続端子を有して構成することにより達成される。
【００１３】
前述の手段を有する本発明は、操作使用時に、蓋を１８０度以上の回転あるいは三角形状の屈曲をさせ係止することにより、携帯情報処理装置本体を水平面に対し傾け配置することができ、これにより、表示部と操作ボタンとが水平面に対し傾き操作し易くすることができる。
【００１４】
そして、長時間使用によって携帯情報処理装置本体に内蔵する二次電池が消耗してきた場合、前述の蓋をコの字状に屈曲させて市販乾電池の収納体にすると共に、携帯情報処理装置本体を、この充電台に直立配置することにより、乾電池から電源供給を行うことができ、あるいは、この充電台の中に新たな２次電池を収納し、この２次電池を充電することができ、さらに、携帯情報処理装置本体に内蔵する２次電池の充電を行うことも可能となる。
【００１５】
【発明の実施の形態】
以下、本発明による携帯情報処理装置、その充電台及び充電方法の実施形態を図面により詳細に説明する。
【００１６】
図１は本発明の一実施形態による携帯情報処理装置の全体構成を示す斜視図、図２は携帯情報処理装置本体を充電台に配置した状態の一部断面を示す側面図、図３は携帯情報処理装置本体を充電台に配置した状態の上面図である。
【００１７】
携帯情報処理装置本体１は、図１に示すように、記号、文字、数字を表示して処理情報状態や通信状態を表示する液晶パネルの表示部３と、電源の入り切りや送信操作のための操作ボタンの操作部４ａ、４ｂ、４ｃとを備え、ペン型入力具５を上面に配置し、側面に電源接続端子６ａ、６ｂを露出して配置して構成されている。
【００１８】
充電台２は、携帯情報処理装置本体１を着脱自在に収納する収納部７と、この収納部７を中空の箱状に形成する前面壁８、側面壁９ａ、９ｂ、背面壁１０、底面１１と、背面壁１０の外側に回動自在に固定した背面蓋１２と、この背面蓋１２に連結させた表示部３を覆う表示部蓋１３と、この表示部蓋１３に連結させた操作部蓋１４とにより構成されている。
【００１９】
充電台２の前面壁８には、外部電源から電力供給を行うＡＣアダプター２０のＡＣアダプター接続端子１５ａ、１５ｂが埋め込まれて設けられている。このＡＣアダプター接続端子１５ａ、１５ｂは、携帯情報処理装置本体１が充電台２に収納されたとき、電源接続端子６ａ、６ｂと接する位置に配置されている。そして、充電台２のＡＣアダプター接続端子１５ａ、１５ｂは、携帯情報処理装置本体１の電源接続端子６ａ、６ｂが携帯情報処理装置本体１の厚みのほぼ真中にあるので、前面壁８の幅方向の概ね中央部に配置されている。
【００２０】
充電台２の背面壁１０の外側に設けた背面蓋１２は、その他端に表示部３を覆う表示部蓋１３を回転自在に支承する。そして、表示部蓋１３の他端には、操作部４ａ、４ｂ、４ｃを覆うための操作部蓋１４が回転自在に支承される。
【００２１】
図２に示すように、表示部蓋１３と操作部蓋１４とを加えた全長Ｌ１は、携帯情報処理装置本体１の全長Ｌ２に充電台２の背面壁１０の厚みを加えた長さと概ね同一である。また、操作部蓋１４の長さＬ３は、携帯情報処理装置本体１の厚みＬ４と概ね同一である。また、図３に示すように、背面蓋１２、表示部蓋１３及び操作部蓋１４の幅Ｌ５は、充電台２の収納部７の幅Ｌ６と概ね同一であるが、Ｌ５＜Ｌ６である。この幅Ｌ５とＬ６との寸法関係から、携帯情報処理装置本体１は、充電台２の収納部７に容易に着脱することができる。
【００２２】
充電台２の背面蓋１２、表示部蓋１３、操作部蓋１４の形成材料は、後述する充電台２の機能から熱硬化性樹脂、スチロール樹脂、アクリル樹脂やポリプロピレン等の硬質プラスチックが好適である。そして、それらの形状は、表示部３を保護する目的から板状体が望ましい部材であるが、後述する充電台２を斜めに保持する際に、携帯情報処理装置本体１の重量をも含めた重量を保持することができる強度を有する材料で枠取りし、表示部３を覆う部分のみポリエチレン、四フッ化エチレン、塩化ビニール等の半硬質あるいは軟質プラスチック材料で構成してもよい。また、プラスチック以外のアルミ合金、マグネシューム合金等の軽量金属材料を使用してもその目的を達成することができる。
【００２３】
また、充電台２を箱状に構成する前面壁８、側面壁９ａ、９ｂ、背面壁１０、底面１１の形成材料は、硬質プラスチックのみならず軟質プラスチックや合成皮革でもよい。これらの材料で充電台２を形成することにより、充電台２の外形寸法は、携帯情報処理装置本体１の大きさから数ｍｍ〜１ｃｍほど大きくなる程度になり、携行性を損なうことはない。
【００２４】
前述した本発明の実施形態は、液晶パネルの表示部３に対してペン型入力具５を使用して入力を行うものであり、使用時には、表示部３を露出する必要があるため、少なくとも、表示部蓋１３、操作部蓋１４を回動させて表示部３を露出する必要がある。このため、前述した蓋の類は不透明な材質でよい。しかし、表示内容を見るだけというような場合のために、本発明は、表示部蓋１３を透明な部材で構成することもできる。
【００２５】
また、歩きながらの使用のために、背面蓋１２、表示部蓋１３、操作部蓋１４を閉めた状態ででの操作を可能とするため、本発明は、表示部蓋１３を硬質の枠により構成し、表示部３に対応する部分に窓を設けた形状に構成してもよい。さらに、この場合、前記窓の部分に、フレキシブルな透明な膜部材を設け、この膜部材を通してペン型入力具５を使用して入力を行うことができるようにしてもよい。
【００２６】
ところで、充電台２のＡＣアダプター接続端子１５ａ、１５ｂは、外部電源からの電力供給用のＡＣアダプター２０からコード２１ａ、２１ｂを介して通電する電源端子ホルダー２２に固定したＡＣアダプター電源端子２３ａ、２３ｂを接圧する構造にしてある。
【００２７】
図４は充電台２のＡＣアダプター接続端子１５ａと携帯情報処理装置本体１の電源接続端子６ａとＡＣアダプター２０の電源端子２３ａとの接続状態を示す一部断面図である。
【００２８】
図４に示すように、ＡＣアダプター２０の電源端子ホルダー２２は、ＡＣアダプター２０の電源端子２３ａ、２３ｂの周りにマグネット２４を配置して構成されている。一方、充電台２のＡＣアダプター接続端子１５ａ、１５ｂの周りにもマグネット２５が配置してある。これらのマグネット２４、２５は、互いに接合する磁極に配向しているので、ＡＣアダプター２０から充電台２に電源供給する際に、ＡＣアダプター２０の電源端子２３ａ、２３ｂと充電台２のＡＣアダプター接続端子１５ａ、１５ｂを互いに位置決め固定することができる。このとき、ＡＣアダプター２０の電源端子２３ａ、２３ｂの周りのマグネット２４と充電台２のＡＣアダプター接続端子１５ａ、１５ｂの周りのマグネット２５との磁極の配向関係を、電源端子ホルダー２２を１８０度回転して取り付けようとしたときに反発するようにしておけば、＋、−の極性を持つ端子を誤って接続することを防止することができる。
【００２９】
図５はＡＣアダプター２０の電源端子ホルダー２８と充電台２との他の締結法を説明する一部断面上面図である。この例は、電源端子ホルダー２８の一部にフック部２８ａ、２８ｂを設け、このフック部を充電台２の前面壁８に設けた凹部に係合させて、ＡＣアダプター２０の電源端子２３ａ、２３ｂと充電台２のＡＣアダプター接続端子１５ａ、１５ｂとの電気的接続を図るようにしたものである。
【００３０】
図６は充電台２のＡＣアダプター接続端子１５ａ、１５ｂを使用しないで、ＡＣアダプター２０の電源端子２３ａ、２３ｂを携帯情報処理装置本体１の電源接続端子６ａ、６ｂに直接接続する例を示す図である。
【００３１】
ＡＣアダプター２０の対をなす電源端子２３ａと電源端子２３ｂとの２つの電極の間隔は、携帯情報処理装置本体１の電源接続端子６ａ、６ｂの両電極の間隔と同じであるから、携帯情報処理装置本体１を充電台２から取り外した場合に、それらの端子相互を接続することが可能である。ところで、携帯情報処理装置本体１の電源接続端子６ａ、６ｂの周りには、図４により説明したように、充電台２のＡＣアダプター接続端子１５ａ、１５ｂの周りあるマグネット２５と同じく、マグネット２９を配している。そこで、携帯情報処理装置本体１の電源接続端子６ａ、６ｂとＡＣアダプター２０の接続端子２０ａ、２０ｂとは、これらマグネット２４とマグネット２９で固定保持することができる。
【００３２】
図７は背面壁１０に回動自在に連結した背面蓋１２の連結部の詳細を説明する図、図８は背面壁１０と背面蓋１２との連結に使用する芯金の構成を示す図である。
【００３３】
図７に示すように、背面壁１０には、背面壁１０と一体に形成されたガイド体３１ａ、３１ｂ、３１ｃが設けられる。このガイド体３１ａ、３１ｂ、３１ｃのそれぞれの間には、切欠き（長さＬ７）を設けている。一方、背面蓋１２にも同様なガイド体３２ａ、３２ｂが設け（ガイド体の長さＬ８）られており、このガイド体３２ａ、３２ｂは、背面壁１０に設けられるガイド体の切欠き部に位置させることが可能である。
【００３４】
前述したガイド体３１ａ、３１ｂ、３１ｃ、３２ａ、３２ｂには、貫通穴３３が設けられており、背面蓋１２のガイド体３２ａ、３２ｂを背面壁１０に設けられるガイド体の切欠き部に位置させると、全ガイド体の貫通穴３３が同一の位置となり、この貫通穴３３に図８に示す芯金３４を貫通させることが可能となる。芯金３４は、図８の示すように、その一端にフランジ３５が設けられ、他端に芯金３４に設けたネジ（図示せず）で回転案内する固定フック３６が設けられて構成される。そこで、この芯金３４を、ガイド体３１ａ、３１ｂ、３１ｃ、３２ａ、３２ｂに通すと、背面蓋１２は、充電台２の背面壁１０に回動自在に結合されることになる。
【００３５】
また、固定フック３６を回すことにより、背面蓋１２は、充電台２に固定された締結状態にすることができる。すなわち、背面蓋１２と充電台２とはこの連結構造により、回動可能状態と固定締結状態とにすることができる。図７、図８において、背面蓋１２と充電台２の背面壁１０との固定保持方法について説明したが、背面蓋１２と表示部蓋１３との連結、表示部蓋１３と操作部蓋１４との連結も、同様な構成で実施することができ、回動自在及び固定締結が可能な回動保持の状態を維持することができる。
【００３６】
次に、前述で説明した本発明の実施形態による携帯情報処理装置本体１と充電台２とによる使用状態についての幾つかを図面により説明する。これらの例から、本発明の実施形態が、使い勝手の良いものであり、利便性の高いものであることが判る。
【００３７】
図９は充電台２を用いて携帯情報処理装置本体１を傾斜配置した使用状態の例を説明する図である。この例において、背面蓋１２、表示部蓋１３、操作部蓋１４は、ほぼ同一平面になる状態で固定フック３６ｂ、３６ｃにより固定締結される。そして、それら背面蓋１２、表示部蓋１３、操作部蓋１４は、１８０度以上回転させられて、固定フック３６ａを固定締結される。これらの固定締結により、携帯情報処理装置本体１は、図９に示すように傾斜位置で机上等に保持することができる。このとき、図９に示しているように、ＡＣアダプター２０の電源端子ホルダー２２を充電台２に締結しておくことにより、携帯情報処理装置本体１に内蔵する２次電池を充電しながら、携帯情報処理装置本体１を動作させることができる。もちろん、２次電池が充電状態であれば、電源端子ホルダー２２を接続しなくてもよい。電源端子ホルダー２２を充電台２に固定しなくても、図９に示すように、携帯情報処理装置本体１の表示部３を傾斜させて使用することが可能である。
【００３８】
図９において、表示部３の成す傾斜した平面を第１の平面とし、この携帯情報処理装置本体１を収納し表示部蓋１３で表示部３を覆った状態ので充電台２を机上（図示せず）等に置いたときの表示部３の成す平面を第２の平面とすると、第１の平面と第二の平面とは非平行になる。このとき、表示部３を見る使用者は、表示部３を机上から覗く位置でなく、斜め上から覗くことになる。これにより、表示部３として、可視角の狭い液晶パネルを使用した場合にも、使用者は、斜め上から操作を行うことが可能になり、携帯情報処理装置本体１を使用する使い勝手の良さが向上する。
【００３９】
図１０は表示部３の傾斜をより大きくした使用状態の例を説明する図である。この例は、操作部蓋１４を水平にして机上等に置くことができるようにしたものであり、これにより、表示部３を、図９により説明した例より水平状態に近づけた傾斜状態にすることができる。なお、図１０に示す例では机上（図示せず）の接触面積が大きくなるので、充電台２を含む携帯情報処理装置本体１全体を倒れることなく安定に傾斜させて設置することができる。すなわち、図１０の例は、表示部蓋１３を表示部３の位置から２００°以上回動させて、さらに操作部蓋１４を折曲展開することにより表示部３の傾斜保持をより安定にしたものである。しかし、この例は、机上面積が少ない、あるいは、設置場所が小さい面積の場所では、図１０に示すようには設置することができない。このような条件で設置する場合、傾斜させた充電台２側に操作部蓋１４を折曲させた三角形状（Δ状）に設置してもよい。図１０に示すような三角形状であっても、前述のΔ状のいずれであっても目的を達することができる。
【００４０】
さらに、図１０に示す例の場合、操作部蓋１４に滑り止め用部材３８を接合している。この滑り止め部材３８としては、不織布、ゴム、その他の軟質プラスチック材のラミネート処理が好適である。これにより、より安定に机上等で使用することが可能となる。
【００４１】
図１１は表示部３の傾斜をさらに緩やかにした状態での使用方法のさらに他の例を説明する側面図、図１２は図１１の状態とするための充電台２の前面壁８、側面壁９ａ、９ｂ、背面壁１０の構成を説明する図、図１３は図１１に示す傾斜状態の携帯情報処理装置本体１を充電台２に搭載した状態を示す上面図であり、次に、これらの図を参照して、表示部３の傾斜を図１０に比較してさらに緩やかにした状態での使用方法について説明する。
【００４２】
この例で使用する充電台２は、図１２に示すように、充電台２の背面壁１０に切欠き２７を設け、側面壁９ａ、９ｂに固定フック３６ｃと、それに対になる芯金のフランジ（図示せず）を案内するガイド溝３７ａ、３７ｂとを設けると共に、ＡＣアダプター２０のコード２１ａ、２１ｂを通過させる溝３８を設けて構成される。
【００４３】
図１１〜図１３に示す例において、まず、図１１に示すように、背面蓋１２を背面壁１０から離れる方向に回転させて表示部蓋１３を図１２に示す背面壁１０の切欠き２７に位置させ、固定フック３６ｃをガイド溝３７ａに係合させる。さらに、ＡＣアダプター２０のコード２１ａ、２１ｂを図１３に示すように、溝３８から通過させる。これらの固定フック３６ｃ、表示部蓋１３、コード２１ａ、２１ｂとガイド溝３７ａ、切欠き２７、溝３８とのそれぞれを、図１１に示す位置関係に屈曲させることで、背面蓋１２、表示部蓋１３、操作部蓋１４が、三角形状に保持されるので、図１１に示す状態を形成することができる。
【００４４】
前述で説明したように、本発明の実施形態は、携帯情報処理装置本体１の表示部３を斜めに保持することができるので、表示部３が見やすくなり、携帯情報処理装置本体１の利便性の向上を図ることができる。
【００４５】
図１４は内部２次電池が使用中に消耗し、ＡＣアダプター２０が使用できない環境での使用方法について説明する図、図１５は図１４で説明する使用方法での充電台２の詳細な構成を説明する図、図１６は充電台における充電回路の構成例を説明する図、図１７は充電台における充電回路の他の構成例を説明する図である。
【００４６】
本発明の実施形態は、充電台２と、背面蓋１２、表示部蓋１３、操作部蓋１４とを利用することにより、携帯情報処理装置本体１の内部２次電池が使用中に消耗し、ＡＣアダプター２０が使用できない環境の場合、市販の１次乾電池であるアルカリ乾電池等により緊急使用することが可能であり、あるいは、市販２次乾電池であるニッケル水素電池を予め充電して使用することが可能であり、次に、この場合の例について説明する。
【００４７】
ＡＣアダプター２０が使用できない環境で、市販の１次乾電池であるアルカリ乾電池等を使用する場合、本発明の実施形態は、図１４に示すように、携帯情報処理装置本体１を充電台２の手前側に立てて、操作部蓋１４を充電台２の内部側に折り曲げると、表示部蓋１３と操作部蓋１４とにより、充電台２の収納部７内に別の空間を形成し、この空間を乾電池ホルダーとすることができる。本発明の実施形態は、この空間に市販の１次乾電池であるアルカリ乾電池５１ａ、５１ｂ、５１ｃを配置して使用することができる。
【００４８】
このため、この例で使用する充電台２は、図１５に示すように、充電台２の側面壁９ａ、９ｂと低面１１とに、導電パターン５０ａ、５０ｂ、６０、７０、８０ａ、８０ｂを配して構成される。これら導電パターン５０ａ、５０ｂ、８０ａ、８０ｂを接続する導電路９０ａ、９０ｂは、絶縁被覆が施されて形成され、図示例に示す３個の乾電池を直列に接続すると共に、携帯情報処理装置本体１を充電台２の手前側に立てたときに下部側に配置されることになる携帯情報処理装置本体１の電源接続端子６ａ、６ｂの位置に配置される導電パターン８０ａ、８０ｂら接続される。携帯情報処理装置本体１は、この導電パターン８０ａ、８０ｂを介して、乾電池からの電力が供給されることになる。また、導電パターン８０ａ、８０ｂは、充電台２のＡＣアダプター接続端子１５ａ、１５ｂにも接続されており、市販の乾電池に代わって２次電池が使用される場合、ＡＣアダプターを用いて、この２次電池を充電することができる。
【００４９】
充電台２の収納部７の幅Ｌ６は、この市販乾電池５１ａ、５１ｂ、５１ｃの全長Ｌ１０に対し、Ｌ６＜Ｌ１０となるようにしているので、市販乾電池５１ａ、５１ｂ、５１ｃからの電力を携帯情報処理装置本体１に供給することができる。市販のマンガン乾電池やアルカリ乾電池を利用した場合、図１５に示す例では、４．５Ｖの電圧を得ることができるので、携帯情報処理装置本体１に内蔵する定電圧回路（図示せず）を介して、内蔵される２次電池への充電が可能である。
【００５０】
この市販乾電池５１ａ、５１ｂ、５１ｃを利用する際の乾電池ホルダーは、前述したように、背面蓋１２、表示部蓋１３、操作部蓋１４をコの字状に屈曲させることにより構成することができる。
【００５１】
携帯情報処理装置本体１の２次電池への電力供給は、これら背面蓋１２、表示部蓋１３、操作部蓋１４を屈曲配置構成にするとともに、携帯情報処理装置本体１を前面壁８側の収納部７の空隙部に挿入配置することで可能となる。また、この充電台２の後部には市販乾電池が入るので、重心も安定になる。そこで、市販乾電池による充電中は携帯情報処理装置本体１を直立させて、机上に放置しても安定に保持することができる。
【００５２】
なお、背面蓋１２、表示部蓋１３、操作部蓋１４をコの字状に屈曲させて作る電池ケースに挿入する電池としては、ニカド電池やニッケル水素、リチウムイオン電池などの２次電池でもよい。
【００５３】
次に、市販乾電池として２次電池を使用した場合の充電台２の内部回路の動作について、図１６を参照して説明する。
【００５４】
図１６において、電力は、ＡＣアダプター２０からコード２１ａ、２１ｂを介して、電源端子ホルダー２２のＡＣアダプター電源端子２３ａにプラス、２３ｂにマイナスが供給される。ＡＣアダプター電源端子２３ａ、２３ｂは、それぞれ、充電台２のＡＣアダプター接続端子１５ａ、１５ｂに接続されるので、ＡＣアダプター２０の電力が充電台２に供給される。
【００５５】
ＡＣアダプター接続端子１５ａは、導電路９１ａを介して充電回路１００のプラス側に接続され、ＡＣアダプター接続端子１５ｂは、導電路９１ｂを介して充電回路１００のマイナス側に接続されている。これにより、ＡＣアダプター２０からの電力が充電回路１００に供給される。充電回路１００の出力は、導電路９２ａ、導電パターン８０ａ、導電路９０ａ、導電パターン５０ａを経て市販乾電池５１ａのプラス側に供給される。市販乾電池５１ａと５１ｂとは、導電パターン６０により接続され、市販乾電池５１ｂと５１ｃとは、導電パターン７０により接続されており、これら３つの市販乾電池５１ａ、５１ｂ、５１ｃは、直列に接続される。そして、ＡＣアダプター接続端子１５ｂからのＡＣアダプターのマイナス出力は、導電路９１ｂ、導電パターン８０ｂ、導電路９０ｂ、導電パターン５０ｂを介して市販乾電池５１ｃのマイナス側に接続される。充電台２には、このような電気回路が構成されるので、市販乾電池として２次電池を使用した場合に、この２次電池の充電を行うことができる。
【００５６】
次に、図１７を参照して充電した市販２次乾電池あるいは市販１次乾電池を用いた場合の携帯情報処理装置本体１への充電動作について説明する。
【００５７】
充電台２には、市販乾電池５１ａ、５１ｂ、５１ｃがセットされている。市販乾電池５１ａ、５１ｂ、５１ｃは、図１６で説明したように接続されており、導電パターン５０ａ、５０ｂ、６０、７０と導電路９０ａ、９０ｂとを介して導電パターン８０ａ、８０ｂのにそれぞれにプラスとマイナスとのを出力する。携帯情報処理装置本体１の電源接続端子６ａ、６ｂは、それぞれ、充電台２の導電パターン８０ａ、８０ｂと接続されるので、市販乾電池５１ａ、５１ｂ、５１ｃの電力が、携帯情報処理装置本体１に供給される。
【００５８】
携帯情報処理装置本体１の電源接続端子６ａは、導電路９５ａにより充電回路１０１と接続されており、プラス出力が充電回路１０１のプラス側に供給され、また、電源接続端子６ｂは、導電路９５ｂにより充電回路１０１のマイナス側と接続されており、マイナス出力が充電回路１０１のマイナス側に供給される。充電回路１０１の出力は、導電路９６ａを介して２次電池のプラスに接続されている。電源接続端子６ｂは、導電路９５ｂを介して２次電池のマイナスに接続されている。前述のように構成される電気回路により、充電台２にセットした市販乾電池５１ａ、５１ｂ、５１ｃにより、携帯情報処理装置本体１の２次電池を充電することができる。
【００５９】
前述した本発明の実施形態は、表示部３の傾斜角度が背面蓋１２、表示部蓋１３、操作部蓋１４等の長さ寸法により間接的に定まるとして説明したが、本発明は、表示部３の傾斜角度を、実質的に任意の角度に保持させることができる。次に、このことについて説明する。
【００６０】
図１８は表示部３の傾斜角を任意に設定可能であることを説明する図である。いま、図１８（ａ）に示すように、背面蓋１２、表示部蓋１３、操作部蓋１４を、背面蓋１２と表示部蓋１３との間で折り曲げ、表示部蓋１３と操作部蓋１４とを直線状として、これにの蓋全体を携帯情報処理装置本体１の背面側にして、表示部３が傾斜するように机上に置いたものとする。このとき、背面蓋１２の長さをＢ（Ｂ＝携帯情報処理装置本体１の厚さ）、表示部蓋１３と操作部蓋１４との長さの和をＬ、携帯情報処理装置本体１の長さをＡとし、表示部蓋１３及び操作部蓋１４の机上面（水平）からの角度をφ、背面蓋１２の水平からの角度をηとし、表示部３（携帯情報処理装置本体１の角度と平行）の水平からの傾斜角をθとすると、下記の式（１）が成り立つ。
【００６１】
Ａ・Ｓｉｎθ＝Ｂ・Ｓｉｎη＋Ｌ・Ｓｉｎφ　　　……（１）
式（１）において、ηは０＜η≦９０°、φは０＜φ≦９０°　で動くことができるので、０＜Ｌ・Ｓｉｎφ≦Ｌ　、０＜Ｂ・Ｓｉｎφ≦Ｂとなる。従って、
０＜Ａ・Ｓｉｎθ≦Ｌ＋Ｂが成り立ち、ＬとＢの長さ寸法でθが定まる。ことになる。
【００６２】
図１８（ｂ）に示すグラフは、実際の携帯情報処理装置本体１の長さ寸法Ａ＝１００ｍｍ、厚さＢ＝２０ｍｍのときに、表示部３の最大傾斜角θｍａｘ　と表示部蓋１３に操作部蓋１４を加えた長さ寸法Ｌとの関係を式（１）で算出した結果である。このグラフから、例えば、Ｌ＝３０ｍｍとすると、θｍａｘ　≒２０°、Ｌ＝８０ｍｍとするとθｍａｘ　＝９０°であることが判る。すなわち、Ｌ＝３０ｍｍでは最大傾斜角は３０°、Ｌ＝８０ｍｍでは最大傾斜角は９０°になる。
【００６３】
図１９は表示部蓋１３に操作部蓋１４を加えた長さ寸法Ｌを設計で定めた場合、表示部３の傾斜角を０°から前述の最大傾斜角θｍａｘ　までの範囲で連続して任意の角度に設定できることを説明する図である。
【００６４】
いま、設計値として、Ａ＝１００ｍｍ、Ｂ＝２０ｍｍ、Ｌ＝８０ｍｍを例として表示部３の傾斜角Θを求める。式（１）から、
１００・Ｓｉｎθ＝２０・Ｓｉｎη＋８０・Ｓｉｎφ　　　……（２）
を得ることができる。この式（２）におけるθ、η、φの関係を、η＝０°の場合、η＝９０°の場合について図１９に示している。この図から、角度ηを任意に設定すると、傾斜角θは０°〜９０°の範囲で連続的に可変可能であることが判る。
【００６５】
前述により、表示部３の傾斜角度を任意に設定する際には、連結部を前述した回動保持して位置固定し、表示部３を使い勝手のよい傾きに維持することができる。
【００６６】
前述した本発明の実施形態によれば、携帯情報処理装置の携行性機能の向上を図り、また、机上使用時にも表示部を傾斜させて使用できる機能を持たせ、さらに、緊急用として市販乾電池の使用あるいは２次電池の充電ができるようにして、携行性を損なうことなく、これら３つの機能を持たせて利便性を向上させた携帯情報処理装置、その充電台及び充電方法を提供することができる。
【００６７】
すなわち、本発明の実施形態によれば、手のひらサイズの携帯情報処理装置とその充電台とを一体にして携行性を持たせるようにしているので、携帯情報処理装置本体を縦、横、高さを数ｍｍから十数ｍｍ程度に一回り大きくなるだけとすることができ、本来の携行性を削ぐことがなく携行性の改善を行うことができ、また、衝撃に弱い液晶表示パネルの保護をも行うことができる。
【００６８】
そして、机の上などに置いて使用する場合に、表示パネルを安定して傾けられるので、使用時に任意に見やすい状態にすることができ、使い勝手の向上を図ることができる。さらに、外出先で電池切れになった場合に、市販乾電池の使用が可能である。また、ＡＣアダプターが使用できる場所であれば２次電池の充電も可能であるので、さらに利便性を向上させることができる。
【００６９】
【発明の効果】
以上説明したように本発明によれば、携帯情報処理装置の携行性機能を損なわずに、机上使用時にも表示部を傾斜させて使用でき、緊急用として市販乾電池の使用あるいは２次電池の充電ができるようにすることができ、携行性に優れ、使い勝手の良い、利便性に優れた携帯情報処理装置を提供することができる。
【図面の簡単な説明】
【図１】本発明の一実施形態による携帯情報処理装置の全体構成を示す斜視図である。
【図２】携帯情報処理装置本体を充電台に配置した状態の一部断面を示す側面図である。
【図３】携帯情報処理装置本体を充電台に配置した状態の上面図である。
【図４】充電台のＡＣアダプター接続端子と携帯情報処理装置本体の電源接続端子とＡＣアダプターの電源端子との接続状態を示す一部断面図である。
【図５】ＡＣアダプターの電源端子ホルダーと充電台との他の締結法を説明する一部断面上面図である。
【図６】充電台のＡＣアダプター接続端子を使用しないで、ＡＣアダプターの電源端子を携帯情報処理装置本体の電源接続端子に直接接続する例を示す図である。
【図７】背面壁に回動自在に連結した背面蓋の連結部の詳細を説明する図である。
【図８】背面壁と背面蓋との連結に使用する芯金の構成を示す図である。
【図９】充電台を用いて携帯情報処理装置本体を傾斜配置した使用状態の例を説明する図である。
【図１０】表示部の傾斜をより大きくした使用状態の例を説明する図である。
【図１１】表示部の傾斜をさらに緩やかにした状態での使用方法のさらに他の例を説明する側面図である。
【図１２】図１１の状態とするための充電台の前面壁、側面壁、背面壁の構成を説明する図である。
【図１３】図１１に示す傾斜状態の携帯情報処理装置本体を充電台に搭載した状態を示す上面図である。
【図１４】内部２次電池が使用中に消耗し、ＡＣアダプター２０が使用できない環境での使用方法について説明する図である。
【図１５】図１４で説明する使用方法での充電台２の詳細な構成を説明する図である。
【図１６】市販乾電池として２次電池を使用する場合の充電台２の内部回路の構成例を説明する図である。
【図１７】充電した市販２次乾電池あるいは市販１次乾電池を用いた場合の携帯情報処理装置本体への充電動作を説明する図である。
【図１８】表示部の傾斜角を任意に設定可能であることを説明する図である。
【図１９】表示部の傾斜角を０°から最大傾斜角θｍａｘ　までの範囲で連続して任意の角度を設定できることを説明する図である。
【符号の説明】
１　携帯情報処理装置本体
２　充電台
３　表示部
４　操作部
５　ペン型入力具
６ａ、６ｂ　携帯情報処理装置本体の電源接続端子
７　収納部
８　前面壁
９ａ、９ｂ　側面壁
１０　背面壁
１１　底面
１２　背面蓋
１３　表示部蓋
１４　操作部蓋
１５ａ、１５ｂ　充電台のＡＣアダプター接続端子
２０　ＡＣアダプター
２１ａ、２１ｂ　コード
２２　ＡＣアダプターの電源端子ホルダー
２３ａ、２３ｂ　ＡＣアダプター２０の電源端子
２４、２５　マグネット
【図１】
2004054686.tif 000003
【図２】
2004054686.tif 000004
【図３】
2004054686.tif 000005
【図４】
2004054686.tif 000006
【図５】
2004054686.tif 000007
【図６】
2004054686.tif 000008
【図７】
2004054686.tif 000009
【図８】
2004054686.tif 000010
【図９】
2004054686.tif 000011
【図１０】
2004054686.tif 000012
【図１１】
2004054686.tif 000013
【図１２】
2004054686.tif 000014
【図１３】
2004054686.tif 000015
【図１４】
2004054686.tif 000016
【図１５】
2004054686.tif 000017
【図１６】
2004054686.tif 000018
【図１７】
2004054686.tif 000019
【図１８】
2004054686.tif 000020
【図１９】
2004054686.tif 000021